(57)【特許請求の範囲】
【請求項１】
空気が流入される流路内に形成された光触媒部と、
該光触媒部を励起させる励起手段と、
を備えてなる空気清浄装置であって、
前記励起手段は、前記光触媒部に光を照射する光発生手段及び外部の光を前記光触媒部に照射する光透過部よりなることを特徴とする空気清浄装置。
【請求項２】
前記光発生手段から発せられた光が、前記光透過部を介して装置外部に漏れることを防止するための遮光手段を備えていることを特徴とする請求項１記載の空気清浄装置。
【請求項３】
空気中の塵を帯電させる帯電部と、
前記帯電部によって帯電された塵を吸着する集塵部と、
を備えてなり、
前記光触媒部は、前記帯電部を光触媒でコーティングした構成であることを特徴とする請求項１又は２記載の空気清浄装置。
【発明の詳細な説明】
【０００１】
【発明の属する技術分野】
本発明は空気清浄装置に係り、特に塵を含む空気が流入する流路内の汚れを防止するよう構成された空気清浄装置に関する。
【０００２】
【従来の技術】
例えば、空気中の塵を帯電させて除去する帯電式空気フィルタを備えてなる空気清浄装置が知られている。この種の空気清浄装置においては、コロナ放電している帯電ユニットと、静電気を帯びている繊維で作られている静電フィルタとを備えてなる。そして、空気中の塵は、帯電ユニットの空間を通過する過程で、コロナ放電により帯電し、その後静電フィルタを通過するときに、クーロン力により吸着されて空気中から除去される。
【０００３】
【発明が解決しようとする課題】
しかしながら、上記のように帯電式空気フィルタを備えてなる空気清浄装置では、次のような問題が生じる可能性がある。
▲１▼  帯電した空気中の塵が帯電ユニットの被放電極に付着すると、帯電ユニットにおけるコロナ放電の放電効率が低下する。
▲２▼  空気中の塵が帯電ユニットの放電極や被放電極に堆積し、帯電ユニットの放電極と被放電極との間で異常放電が起こる。
▲３▼  空気中の塵がユニットケース等に付着すると、トラッキング現象により放電極から被放電極へのコロナ放電が発生せず、ユニットケース等に堆積した塵へ放電されてしまい空気中の塵を帯電させることができず、集塵効率が低下する。
▲４▼  上記▲１▼〜▲３▼の問題を防止するためには、短期間で頻繁に洗浄作業を行う必要がある。
【０００４】
そこで、本発明は上記課題を解決した空気清浄装置を提供することを目的とする。
【０００５】
【課題を解決するための手段】
上記課題を解決するために本発明では、以下のような特徴を有する。
請求項１記載の発明は、空気が流入される流路内に形成された光触媒部と、
該光触媒部を励起させる励起手段と、
を備えてなる空気清浄装置であって、
前記励起手段は、前記光触媒部に光を照射する光発生手段及び外部の光を前記光触媒部に照射する光透過部よりなることを特徴とするものである。
【０００６】
従って、請求項１記載の発明によれば、励起手段が、光触媒部に光を照射する光発生手段及び外部の光を光触媒部に照射する光透過部よりなるため、室内等の比較的暗い場所でも光触媒部を励起させることが可能になり、さらに太陽光などの外部からの光が光透過部を透過して光触媒部の励起を促進することができ、省電力化を図れる。
【０００７】
また、請求項２記載の発明は、前記光発生手段から発せられた光が、前記光透過部を介して装置外部に漏れることを防止するための遮光手段を備えていることを特徴とするものである。
【０００８】
従って、請求項２記載の発明によれば、光発生手段から発せられた光が、光透過部を介して装置外部に漏れることを防止するための遮光手段を設けたので、光発生手段の光が光透過部から装置外部へ漏れることのない空気清浄装置を実現することができる。
【０００９】
また、請求項３記載の発明は、空気中の塵を帯電させる帯電部と、
前記帯電部によって帯電された塵を吸着する集塵部と、
を備えてなり、
前記光触媒部は、前記帯電部を光触媒でコーティングした構成であることを特徴とするものである。
【００１０】
従って、請求項３記載の発明によれば、光触媒部が、帯電部を光触媒でコーティングした構成であるので、比較的容易に光触媒層を形成でき、空気中の塵が帯電部または集塵部に付着することを防止できる。
【００１１】
【発明の実施の形態】
以下、本発明の実施の形態について図面と共に説明する。
図１は本発明になる空気清浄装置の第１実施例を示す斜視図である。また、図２は本発明になる空気清浄装置の第１実施例を示す正面図である。
図１及び図２に示されるように、空気清浄装置１０は、空気中の塵を帯電させて除去する方式のものであり、筐体（ユニットケース）１２の内部に機械式集塵フィルタ１４と、帯電ユニット（帯電部）１６と、静電フィルタ（集塵部）１８と、吸気用ファン２０とを備えてなる。
【００１２】
筐体１２は、直方体に形成されており、天板２２にスリット状に形成された複数の空気導入口２４（２４１  〜２４ｎ  ）が設けられている。この空気導入口２４（２４１  〜２４ｎ  ）の下方には、機械式集塵フィルタ１４が配設されている。
また、筐体１２の下部には、静電フィルタ１８により塵が除去された新鮮な空気を排出する空気排出口２６（２６１  〜２６ｎ  ）が設けられている。さらに、天板２２の下方に形成された筐体１２の各側面（４方向側面）は、例えば外部からの光を透過させる石英硝子製の透明材（光透過部）２８（２８ａ〜２８ｄ）により採光窓として形成されている。
【００１３】
そして、透明材２８（２８ａ〜２８ｄ）の外周には、スライド蓋２９が上下方向に摺動可能に設けられている。このスライド蓋２９は、上から見ると長方形の枠体からなり、下方に摺動して透明材２８（２８ａ〜２８ｄ）を露出させる開位置と、上方に移動して透明材２８（２８ａ〜２８ｄ）を覆う閉位置とのいずれかの位置にあり、手動操作により任意の位置に移動させられる。
【００１４】
さらに、透明材２８の内面には、外部からの紫外線の強度を検出する紫外線センサ３０が取り付けられている。尚、本実施例では、透明材２８に石英硝子を用いたが、これに限らず、例えば、紫外線透過性樹脂など光励起に必要な光を透過するものであれば良い。
図３はスライド蓋２９が透明材２８（２８ａ〜２８ｄ）に対向する閉位置に上昇した状態を示す正面図である。
【００１５】
図３に示されるように、透明材２８（２８ａ〜２８ｄ）を透過する外部からの光（主に太陽光による紫外線）が十分に得られない場合、スライド蓋２９は透明材２８（２８ａ〜２８ｄ）に対向し、外部からの光を遮断し、且つ後述する殺菌灯３４の光が外部に漏れることを阻止する閉位置に保持される。
しかしながら、外部からの光（主に太陽光による紫外線）が十分に得られる場合、スライド蓋２９は透明材２８（２８ａ〜２８ｄ）を露出させて外部からの光が帯電ユニット１６内部に透過されるよう開位置に下動される。
【００１６】
図４は筐体１２に組み込まれる各部材の分解斜視図である。
図４に示されるように、機械式集塵フィルタ１４は、空気導入口２４（２４１  〜２４ｎ  ）の真下に設けられており、通過できる粒子及び通過できない粒子の大きさがフィルタの目の大きさで決まるように構成されている。例えば、フィルタの目の大きさがＮミクロン（Ｎ＝１〜１０）であればＮミクロン以上の粒子からなる塵を除去するものを使用する。従って、機械式集塵フィルタ１４は、空気導入口２４（２４１  〜２４ｎ  ）から流入された空気を最初にろ過するフィルタであり、空気中に浮遊する比較的粒子の大きな塵が筐体１２内に流入することを阻止する。
【００１７】
帯電ユニット１６は、枠状のユニットケースを構成する透明材２８（２８ａ〜２８ｄ）の内部空間３２に紫外線を発光する２本の殺菌灯（励起手段、光発生手段）３４と、３本の放電極３６と、４本の被放電極３８とが所定間隔毎に横架されている。帯電ユニット１６の内部空間３２には、機械式集塵フィルタ１４によりろ過された空気が流入する空気流路として形成されている。
【００１８】
帯電ユニット１６の内部空間３２を囲む透明材２８（２８ａ〜２８ｄ）の内壁、放電極３６及び被放電極３８には、光触媒塗料（酸化チタン塗料）がコーティングされた光触媒層（光触媒部）３９が形成されている。帯電ユニット１６を光触媒でコーティングする構成は、帯電ユニット１６の塵が吸着することを防止するという効果と、帯電ユニット１６に塵を帯電させる役割、たばこの煙の油分等を分解する役割、の両方を兼用させることができ、よって、帯電ユニット１６の他に光触媒ユニットを設ける構成に比して、装置の小型化及びコスト低減に有利であるという効果を有する。
【００１９】
この光触媒層３９に含まれる光触媒は、紫外線が照射されることにより、光励起される。そして、光励起に伴って、光触媒層３９の表面が水との接触角が１０度以下（例えば、５〜０度）になる程度に高度に親水化される。
このように、高度に親水化された光触媒層３９の表面は、空気中に含まれる塵が付着しにくくなっており、大気中の湿分を吸着するので、静電気が帯電しにくい。よって、透明材２８（２８ａ〜２８ｄ）の内部は、光触媒層３９でコーティングされることにより、空気中に浮遊する塵を静電気的に吸着しにくい特性を有する。
【００２０】
更に、高度に親水化された光触媒に対して紫外線を照射することにより、たばこの煙等の油分を分解させることができる。よって、光触媒層３９でコーティングされた帯電ユニット１６の内部は、紫外線を照射し続けることにより、油分等の分子を分解して脱臭効果を奏するという特性を有する。
【００２１】
静電フィルタ１８は、長方形状の枠体１８ａ内部に静電気を帯びている繊維により形成された複数の空気通路４０（４０１  〜４０ｎ  ）を有する。この複数の空気通路４０（４０１  〜４０ｎ  ）は、夫々が六角形に形成されており、上方からみると、あたかも蜂の巣のように構成されている。
吸気用ファン２０は、モータ（図示せず）で回転駆動されており、空気導入口２４（２４１  〜２４ｎ  ）から外部の空気を吸引すると共に静電フィルタ１８でろ過された清浄な空気を空気排出口２６（２６１  〜２６ｎ  ）から排出する。
【００２２】
図５は空気清浄装置１０の制御系の構成を示すブロック図である。
図５に示されるように、空気清浄装置１０の制御部４６には、上記帯電ユニット１６、紫外線センサ３０、殺菌灯３４の他に電源スイッチ４２、モード設定スイッチ４４、タイマカウンタ４８が接続されている。尚、電源スイッチ４２、モード設定スイッチ４４は、上記筐体１２あるいは天板２２の空いているスペースに適宜取り付けられている。
【００２３】
ここで、制御部４６が実行する制御処理について説明する。
図６は制御部４６が実行する制御処理のフローチャートである。
図６に示されるように、制御部４６は、ステップＳ１１（以下「ステップ」を省略する）において、電源スイッチ４２がオンに操作されると、放電極３６及び被放電極３８及び吸気用ファン２０に通電し、空気の清浄を開始させる。
【００２４】
次のＳ１２では、モード設定スイッチ４４により設定された設定モードを読み込む。本実施例の空気清浄装置１０は、動作モードをモード１及びモード２の二つを有している。モード１は、高度に親水化された光触媒に対して紫外線を照射することにより、たばこの煙分の油分を分解することができることに着目し、光触媒層３９に常に紫外線を照射して帯電ユニット１６に脱臭作用を行わせるものである。
【００２５】
また、モード２は、光触媒が一度光励起されると、高度に親水化された状態が一定時間持続することに着目し、光触媒層３９に間欠的に紫外線を照射して光触媒層３９を常に親水化した状態に維持するものである。従って、モード２は、モード１に比して脱臭効果が小さいが、消費電力を低く抑えることができるという特徴を有する。
【００２６】
続いて、Ｓ１３に進み、モード設定スイッチ４４により設定された設定モードがモード１かどうかをチェックする。
Ｓ１３において、モード１が設定されている場合には、Ｓ１４に進み、紫外線センサ３０により検出された外部からの紫外線量が十分であるかどうかをチェックする。そして、Ｓ１４において、紫外線センサ３０により検出された外部からの紫外線量が十分でないときは、Ｓ１５に進み、殺菌灯３４を点灯させ続け、光触媒層３９への紫外線照射を継続する。
【００２７】
また、Ｓ１４において、紫外線センサ３０により検出された外部からの紫外線量が十分であるときは、Ｓ１６に進み、殺菌灯３４を消灯させて殺菌灯３４による光触媒層３９への紫外線照射を停止する。
次のＳ１７では、電源スイッチ４２がオフに操作されたかどうかをチェックする。Ｓ１７で電源スイッチ４２がオフに操作されていないときは、上記Ｓ１４に戻り、Ｓ１５またはＳ１６の処理を実行する。
【００２８】
しかし、Ｓ１７で電源スイッチ４２がオフに操作されているときは、今回の処理を終了する。
また、Ｓ１３において、モード１が設定されていない場合には、Ｓ１８に進み、モード設定スイッチ４４により設定された設定モードがモード２かどうかをチェックする。Ｓ１８において、モード２が設定されている場合には、Ｓ１９に進み、モード２が設定されていない場合には、Ｓ１３に戻り、再度モード確認を行う。
【００２９】
Ｓ１９では、タイマカウンタ４８をゼロからスタートさせ、紫外線を光触媒層３９に照射し続ける。この時、Ｓ１４〜Ｓ１７と同様に、外部からの紫外線照射量が十分でないときには、殺菌灯３４を点灯させて紫外線を照射し、外部からの紫外線照射量が十分なときには外光を利用して（殺菌灯３４は消灯）紫外線を照射する。
【００３０】
次のＳ２０では、タイマカウンタ４８のカウント値が光励起が発生する励起開始時間Ｔ０に達したかどうかをチェックする。この励起開始時間Ｔ０とは、光触媒層３９に含まれる光触媒に紫外線が照射されることにより、光励起が発生するのに要する最小時間である。
Ｓ２０において、タイマカウンタ４８のカウント値が励起開始時間Ｔ０に達した時点でＳ２１に進み、タイマカウンタ４８のカウント値をゼロに戻して再スタートさせる。次のＳ２２では、殺菌灯３４を消灯させ、光触媒層３９への紫外線照射を停止させる。
【００３１】
次のＳ２３では、タイマカウンタ４８のカウント値が親水化持続時間Ｔ１を越えたかどうかをチェックする。尚、親水化持続時間Ｔ１は、光触媒層３９の表面の水との接触角が例えば、５〜０度を保つように親水性（水との親和力が強い性質）が保持されている時間である。光触媒層３９は、光励起により親水化された後、殺菌灯３４が消灯されると、この親水性が次第に低下する。そのため、Ｓ２３では、殺菌灯３４が消灯された後、経過時間を監視することにより光触媒層３９の親水性が十分に保持されていることを確認している。
【００３２】
Ｓ２３において、タイマカウンタ４８のカウント値が親水化持続時間Ｔ１を越えたときは、Ｓ２４に進み、電源スイッチ４２がオフに操作されたかどうかをチェックする。Ｓ２４で電源スイッチ４２がオフに操作されていないときは、上記Ｓ１９に戻り、殺菌灯３４を点灯させ、光触媒層３９への紫外線照射を再開する。そして、Ｓ１９以降の処理を実行する。これにより、光触媒層３９が励起されて親水性が強められる。
【００３３】
しかし、Ｓ２４で電源スイッチ４２がオフに操作されているときは、今回の処理を終了する。
なお、上記Ｓ１１〜Ｓ２４の途中でモード設定スイッチ４４が切り替え操作されたときは、上記Ｓ１３に戻り、モード確認を行う。そして、モード１が設定されたときは、上記Ｓ１３以降の処理を行う。また、モード２が設定されたときは、上記Ｓ１８以降の処理を行う。
【００３４】
このように、タイマカウンタ４８のカウント値が励起開始時間Ｔ０に達するまで、外光を利用し、または殺菌灯３４を点灯させて紫外線を光触媒層３９に照射し続けることにより、光触媒層３９に含まれる光触媒を確実に励起させることができる。その結果、帯電ユニット１６での異常放電を防止でき、異常放電による集塵効率の低下を防止できる。なお、励起開始時間Ｔ０は、光触媒の材質や紫外線量等の条件に応じて実験等により予め求めることができる。
【００３５】
また、光触媒層３９は、光励起により親水化されると、この親水性を有する状態が所定時間持続するといった特性を有している。そのため、光触媒層３９の表面では、光殺菌灯３４を消灯させた後も親水化された状態を所定時間維持できるので、タイマカウンタ４８のカウント値が親水化持続時間Ｔ１を越えるまで、光殺菌灯３４を消灯させることができ、省電力化を図れる。
【００３６】
また、親水化持続時間Ｔ１が経過した時点で、殺菌灯３４を点灯させて光触媒層３９への紫外線照射を再開するため、光触媒層３９の親水化状態を常に持続することができる。
図７は本発明の第２実施例を示す斜視図である。また、図８は第２実施例の正面図である。また、図９は第２実施例の側面図である。尚、第２実施例において、上記第１実施例と同一部分には、同一符号を付してその説明を省略する。
【００３７】
図７乃至図９に示されるように、第２実施例の空気清浄装置５０は、筐体１２の正面に採光窓５２が設けられている。この採光窓５２には、回転蓋５４（５４１  〜５４ｎ  ）が開閉可能に設けられている。また、回転蓋５４（５４１  〜５４ｎ  ）は、外部からの光が弱いときは採光窓５２を閉じる位置に回動しており、外部からの光（太陽光）が強いときは採光窓５２を開く位置に回動する。そして、採光窓５２の下方には、外部の光を筐体１２内部に設けられた第１紫外線センサ６８（図１２参照）に導入さるための孔７２が設けられている。
【００３８】
図７、図８では回転蓋５４（５４１  〜５４ｎ  ）が閉じた状態を示しており、図１０では回転蓋５４（５４１  〜５４ｎ  ）が開いた状態を示している。
回転蓋５４（５４１  〜５４ｎ  ）は、外部からの光が強いときは図７、図８に示すように垂直状態となる閉位置から図１０に示す水平状態の開位置に９０度回動する。これにより、採光窓５２が開いた状態になり、外部からの光が採光窓５２から帯電ユニット１６の内部空間３２に照射される。その結果、帯電ユニット１６の内部にコーティングされた光触媒層３９が太陽光に含まれる紫外線によって光励起されて親水化される。
【００３９】
また、筐体１２の下端には、操作ユニット５６が取り付けられている。この操作ユニット５６には、電源スイッチ４２、モード設定スイッチ４４等が配設されている。そして、操作ユニット５６は、筐体１２の下端が嵌合する溝５６ａを有しており、取り外し自在に設けられている。そのため、例えば、空気清浄装置５０を設置する場所によっては、操作ユニット５６を筐体１２の側面下端あるいは背面下端に取り付けることもできる。
【００４０】
筐体１２の底面には、脚５８ａ〜５８ｄが設けられているので、床面との間に隙間が介在している。そのため、操作ユニット５６は、筐体１２の下端に装着された状態で床面に当接しないようになっている。
図１１は回転蓋５４の正面図である。また、図１２は回転蓋５４の開閉動作を説明するための図であり、（Ａ）は回転蓋５４が閉じた状態、（Ｂ）は回転蓋５４が４５度開いた状態、（Ｃ）は回転蓋５４が９０度開いた状態を示す縦断面図である。
【００４１】
図１１及び図１２（Ａ）〜（Ｃ）に示されるように、回転蓋５４は、長手方向の両端に回転軸５４ａ，５４ｂを有し、左側端部に突出する回転軸５４ａには、ギヤ６０が設けられている。そして、回転蓋５４（５４１  〜５４ｎ  ）の各ギヤ６０（６０１  〜６０ｎ  ）は、上下方向に延在するラック６２に噛合している。さらに、ラック６２の下部は、モータ６４により回転駆動される駆動ギヤ６６が噛合している。
【００４２】
そのため、駆動ギヤ６６がモータ６４により回転駆動されると、ラック６２が上方に摺動してギヤ６０（６０１  〜６０ｎ  ）を反時計方向に回動させる。これにより、回転蓋５４（５４１  〜５４ｎ  ）は閉位置から閉位置に回動して外部からの光が帯電ユニット１６の内部に差し込まれる。
また、採光窓５２の縁部内面には、装置外部の光を受光して外部の紫外線量を測定する第１紫外線センサ６８が設けられており、帯電ユニット１６の内部には、採光窓５２から入射された紫外線量を測定する第２紫外線センサ７０が設けられている。なお、第１紫外線センサ６８の取り付け面には、筐体１２の前面に開口する孔７２が貫通しており、この孔７２から入射された光が第１紫外線センサ６８で受光される。
【００４３】
そして、第１紫外線センサ６８が外部の光を検出すると、モータ６４が回転駆動されて回転蓋５４（５４１  〜５４ｎ  ）が開き、第２紫外線センサ７０の受光レベルが最も高い位置に回動したとき、モータ６４の回転が停止して回転蓋５４（５４１  〜５４ｎ  ）を所定角度回動した位置で停止させる（図１２（Ｂ）参照）。図１３は第２実施例の制御系の構成を示すブロック図である。
【００４４】
図１３に示されるように、空気清浄装置５０の制御部４６には、上記帯電ユニット１６、殺菌灯３４の他に電源スイッチ４２、モード設定スイッチ４４、タイマカウンタ４８、第１紫外線センサ６８、第２紫外線センサ７０、モータ６４が接続されている。
第２実施例の制御部４６は、第１実施例と同様、図６に示す制御処理を行う他に回転蓋５４を制御する制御処理も行う。
【００４５】
ここで、第２実施例の制御部４６が実行する回転蓋５４の制御処理について説明する。
図１４は第２実施例の制御部４６が実行する回転蓋５４の制御処理のフローチャートである。尚、制御部４６は、所定時間間隔で図１４に示す処理を繰り返し実行する。
【００４６】
図１４に示されるように、制御部４６は、電源スイッチ４２がオンに操作されると、Ｓ３１において、第１紫外線センサ６８により筐体１２の正面に設けられた孔７２から受光された外部からの紫外線量が十分であるかどうかをチェックする。
従って、Ｓ３１において、第１紫外線センサ６８により受光された紫外線量が所定値以下であるときは、Ｓ３２に進み、モータ６４を所定時間のみ駆動させて回転蓋５４（５４１  〜５４ｎ  ）を閉成させる。尚、Ｓ３２で既に回転蓋５４（５４１  〜５４ｎ  ）が閉成しているときは、何もしない。
【００４７】
続いて、Ｓ３３で殺菌灯３４を点灯させた後、上記Ｓ３１に戻り、再度、第１紫外線センサ６８により受光された紫外線量を確認する。尚、Ｓ３３で殺菌灯３４が既に点灯されているときは、変化なし。
上記Ｓ３１において、第１紫外線センサ６８により受光された紫外線量が所定値以上であるときは、Ｓ３４に進み、殺菌灯３４を消灯させる。尚、Ｓ３４で既に殺菌灯３４が消灯しているときは、そのままの状態を維持する。
【００４８】
次に、Ｓ３５において、第２紫外線センサ７０により帯電ユニット１６の内部空間３２で受光された紫外線量が十分であるかどうかをチェックする。
Ｓ３５において、第２紫外線センサ７０により受光された紫外線量が所定値以下であるときは、Ｓ３６に進み、モータ６４を駆動させて回転蓋５４（５４１  〜５４ｎ  ）の角度を開方向に調整する。例えば、Ｓ３６において、モータ６４を所定時間のみ駆動させて回転蓋５４（５４１  〜５４ｎ  ）が５度開方向に回動させる。その後、Ｓ３５に戻り、第２紫外線センサ７０により受光された紫外線量をチェックする。
【００４９】
ここで、第２紫外線センサ７０により受光された紫外線量が所定値以下であるときは、再度、Ｓ３６に進み、モータ６４を駆動させて回転蓋５４（５４１  〜５４ｎ  ）の角度を開方向に調整する。
そして、Ｓ３５において、第２紫外線センサ７０により受光された紫外線量が所定値以上であるときは、Ｓ３７に進み、電源スイッチ４２がオフかどうかをチェックする。Ｓ３７で電源スイッチ４２がオンであるときは、上記Ｓ３１に戻る。また、Ｓ３７で電源スイッチ４２がオフであるときは、今回の処理を終了する。
【００５０】
このように、外部からの紫外線量が十分ないときは、殺菌灯３４から紫外線が外部に漏れないように、回転蓋５４（５４１  〜５４ｎ  ）を閉成させた後、殺菌灯３４を点灯させて紫外線を光触媒層３９に照射し続けることにより、光触媒層３９に含まれる光触媒を確実に励起させることができる。その結果、帯電ユニット１６での異常放電を防止でき、異常放電による集塵効率の低下を防止できる。
【００５１】
また、太陽光からの紫外線量が十分あるときは、モータ６４を駆動させて回転蓋５４（５４１  〜５４ｎ  ）を開方向に回動させて回転蓋５４（５４１  〜５４ｎ  ）の回動角度を最適角度、すなわち、太陽の位置に合わせて回転蓋５４（５４１  〜５４ｎ  ）の角度を調整して第２紫外線センサ７０により受光された紫外線量が最大値となるように制御する。これにより、時間の経過と共に、太陽の位置が移動しても随時、回転蓋５４（５４１  〜５４ｎ  ）の回動角度が最適角度に調整され、光触媒層３９に含まれる光触媒を太陽光の紫外線により光励起させることができる。
【００５２】
尚、上記実施の形態では、帯電ユニット１６の内壁に光触媒層３９を形成した構成について説明したが、機械式集塵フィルタ１４や吸気ファン２０の表面に光触媒層３９をコーティングする構成としても良いのは勿論である。
また、上記実施例では、空気中の塵を帯電させて除去する帯電式空気フィルタを備えてなる空気清浄装置を一例として挙げたが、これ以外の形式の空気清浄装置にも適用できるのは勿論である。
【００５３】
【発明の効果】
上述の如く、請求項１記載の発明によれば、励起手段が、光触媒部に光を照射する光発生手段及び外部の光を光触媒部に照射する光透過部よりなるため、室内等の比較的暗い場所でも光触媒部を励起させることが可能になり、さらに太陽光などの外部からの光が光透過部を透過して光触媒部の励起を促進することができ、省電力化を図れる。
【００５４】
また、請求項２記載の発明によれば、光発生手段から発せられた光が、光透過部を介して装置外部に漏れることを防止するための遮光手段を設けたので、光発生手段の光が光透過部から装置外部へ漏れることのない空気清浄装置を実現することができる。
【００５５】
また、請求項３記載の発明によれば、光触媒部が、帯電部と集塵部の少なくとも一方を光触媒でコーティングした構成であるので、比較的容易に光触媒層を形成でき、空気中の塵が帯電部または集塵部に付着することを防止できる。
【図面の簡単な説明】
【図１】本発明になる空気清浄装置の第１実施例を示す斜視図である。
【図２】本発明になる空気清浄装置の第１実施例を示す正面図である。
【図３】スライド蓋２９が透明材２８（２８ａ〜２８ｄ）に対向する閉位置に上昇した状態を示す正面図である。
【図４】筐体１２に組み込まれる各部材の分解斜視図である。
【図５】空気清浄装置１０の制御系の構成を示すブロック図である。
【図６】制御部４６が実行する制御処理のフローチャートである。
【図７】本発明の第２実施例を示す斜視図である。
【図８】第２実施例の正面図である。
【図９】第２実施例の側面図である。
【図１０】回転蓋５４（５４１  〜５４ｎ  ）が開いた状態を示す正面図である。
【図１１】回転蓋５４の正面図である。
【図１２】回転蓋５４の開閉動作を説明するための図であり、（Ａ）は回転蓋５４が閉じた状態、（Ｂ）は回転蓋５４が４５度開いた状態、（Ｃ）は回転蓋５４が９０度開いた状態を示す縦断面図である。
【図１３】第２実施例の制御系の構成を示すブロック図である。
【図１４】第２実施例の制御部４６が実行する制御処理のフローチャートである。
【符号の説明】
１０，５０  空気清浄装置
１２  筐体
１４  機械式集塵フィルタ
１６  帯電ユニット
１８  静電フィルタ
２０  吸気用ファン
２４（２４１  〜２４ｎ  ）  空気導入口
２６（２６１  〜２６ｎ  ）  空気排出口
２８（２８ａ〜２８ｄ）  透明材
２９  スライド蓋
３０  紫外線センサ
３２  内部空間
３４  殺菌灯
３６  放電極
３８  被放電極
３９  光触媒層
４０（４０１  〜４０ｎ  ）  空気通路
４４  モード設定スイッチ
４８  タイマカウンタ
５２  採光窓
５４（５４１  〜５４ｎ  ）  回転蓋
５６  操作ユニット
６４  モータ
６８  第１紫外線センサ
７０  第２紫外線センサ
【図１】
0003582438.tif 000002
【図２】
0003582438.tif 000003
【図３】
0003582438.tif 000004
【図４】
0003582438.tif 000005
【図５】
0003582438.tif 000006
【図６】
0003582438.tif 000007
【図７】
0003582438.tif 000008
【図８】
0003582438.tif 000009
【図９】
0003582438.tif 000010
【図１０】
0003582438.tif 000011
【図１１】
0003582438.tif 000012
【図１２】
0003582438.tif 000013
【図１３】
0003582438.tif 000014
【図１４】
0003582438.tif 000015